(57)【特許請求の範囲】
【請求項１】
加入者データを保持するためのホーム位置レジスタ（ＨＬＲ）を含み、ＧＳＭのような第１ネットワークと、ＧＰＲＳのような第２ネットワークとをサポートする無線通信システムにおける移動体局による登録の方法であって、前記方法は、移動体加入者データをホーム位置レジスタ（ＨＬＲ）に保持する段階と、前記移動体加入者データを要求するために他のネットワークエレメントからホーム位置レジスタ（ＨＬＲ）にメッセージ（２−６ａ、４−３）を送る段階とから成り、前記ホーム位置レジスタ（ＨＬＲ）は、前記移動体加入者が第１ネットワーク、第２ネットワーク、又は両ネットワークを使用する資格があるかを表示するアクセスパラメータ（ＰＡＲＡＭ）を保持し、加入者データを要求するための前記メッセージに応じて前記ホーム位置レジスタは移動体加入者データと前記アクセスパラメータとを送り、移動体加入者データを要求した前記ネットワークエレメントは、移動体加入者のアクセスを第１ネットワーク又は第２ネットワークだけに制限するために前記アクセスパラメータを使用することを特徴とする方法。
【請求項２】
加入者データを保持するためのホーム位置レジスタ（ＨＬＲ）を含み、ＧＳＭのような第１ネットワークと、ＧＰＲＳのような第２ネットワークとをサポートする無線通信システムにおける移動体局による登録の方法であって、前記方法は、移動体加入者データを移動体局のメモリー、好ましくはそのＳＩＭカード内に記憶する段階から成り、前記移動体加入者が第１ネットワーク、第２ネットワーク、又は両ネットワークを使用する資格があるかを表示するアクセスパラメータ（ＰＡＲＡＭ）も又移動体局の前記メモリー内に記憶され、移動体局は移動体加入者のアクセスを第１及び／又は第２ネットワークだけに制限するために前記アクセスパラメータを使用することを特徴とする方法。
【請求項３】
移動体加入者のアクセスが、たとえショートメッセージサービスが移動体加入者に定義されている場合でも、１つのネットワークだけに制限されることを特徴とする、上記請求項１又は２の何れかに記載の方法。
【請求項４】
移動体加入者データを要求したネットワークエレメントは、移動体加入者が使用する資格のないネットワーク内での位置更新（２−７）を防ぐために前記アクセスパラメータを使用することを特徴とする、上記請求項１又は３の何れかに記載の方法。
【請求項５】
移動体局は、移動体加入者が使用する資格のないネットワークにおいて接続要求（２−１）を送らないことを独立して決定することを特徴とする、上記請求項２又は３の何れかに記載の方法。
【請求項６】
上記無線通信システムはそれ自体で知られているビジター位置レジスタ（ＶＬＲ）を含んでおり、ビジター位置レジスタのエリア内にある移動体局が呼び出し又はショートメッセージを受信し且つビジター位置が対象の移動体加入者のデータを持っていない場合、前記アクセスパラメータ（ＰＡＲＡＭ）が、移動体局のページング（４−９）を移動体加入者が使用する資格のあるネットワークだけに制限するために使用されることを特徴とする、上記請求項１、３、４の何れかに記載の方法。
【請求項７】
前記第１ネットワークがＧＳＭ／ＤＣＳのような回線交換網であり、前記第２ネットワークがＧＰＲＳのようなパケット交換網であることを特徴とする、上記請求項何れかに記載の方法。
【請求項８】
第１及び第２ネットワークをサポートする無線通信システムにおける移動体加入者データから成るデータ構造において、前記データ構造は、移動体加入者が第１ネットワーク、第２ネットワーク、又は両ネットワークを使用する資格があるかを表示するアクセスパラメータ（ＰＡＲＡＭ）も含んでいることを特徴とするデータ構造。
【請求項９】
前記データ構造が無線通信システムのホーム位置レジスタ（ＨＬＲ）内に配置されていることを特徴とする、上記請求項８に記載のデータ構造。
【請求項１０】
前記データ構造が移動体局のメモリー、好ましくはそのＳＩＭカード内にに配置されていることを特徴とする、上記請求項８に記載のデータ構造。
【請求項１１】
前記第１ネットワークがＧＳＭ／ＤＣＳのような回線交換網であり、前記第２ネットワークがＧＰＲＳのようなパケット交換網であることを特徴とする上記請求項８から１０の何れかに記載のデータ構造。
【発明の詳細な説明】
発明の属する技術分野
本発明は、マルチモード（例えば、ＧＳＭ／ＧＰＲＳ）移動体局がＧＰＲＳのようなパケット無線ネットワークに登録する際の信号負荷の軽減に関する。本発明は、２つの異なるネットワークをサポートするデュアルモード無線通信システムと結びつけて述べられている。説明を簡単にするため、第１のネットワークは（ＧＳＭのような）回線交換網であり、第２のネットワークは（ＧＰＲＳのような）パケット交換網と仮定する。ＧＳＭネットワークの替わりに、或いはそれに加えて、ＤＣＳのようなＧＳＭの派生を使ってもよい。
発明の背景
ゼネラルパケット無線サービス（ＧＰＲＳ）はＧＳＭにおける新しいサービスである。これはＥＴＳＩ（欧州無線通信標準協会）のＧＳＭフェーズ２＋で標準化されようとしているものである。ＧＰＲＳ作動環境は、ＧＰＲＳバックボーンネットワークを使って相互接続されている、１つ又はそれ以上のサブネットワークサービスエリアから構成されている。サブネットワークは数多くのパケットデータサービスノードを含んでおり、このノードはここではＧＰＲＳサポートノード（或いはエージェント）と呼ぶが、それぞれＧＳＭ移動体ネットワークと接続され、幾つかの基地局、即ちセル経由で移動体データ端末にパケットデータサービスを提供できるようになっている。中間移動体ネットワークは、サポートノードと移動体データ端末の間の回線交換網又はパケット交換網データ送信を提供する。各種サブネットワークが今度は外部データネットワーク、例えば公衆パケットデータ交換網ＰＳＰＤＮに接続される。ＧＰＲＳサービスはこのように、移動体データ端末と外部データネットワーク間のパケットデータ送信を行うのに使用でき、その際ＧＳＭネットワークはアクセスネットワークとして機能する。ＧＰＲＳサービスネットワークの特徴の１つは、ＧＳＭネットワークとは殆ど無関係に作動することである。ＧＰＲＳサービスに課される要件の１つは、インターネット及びＸ．２５ネットワークのような異なる形式の外部ＰＳＰＤＮネットワークと共に作動しなければならないということである。言い換えれば、ＧＰＲＳサービスとＧＳＭネットワークは、ＧＳＭネットワーク経由での接続を希望するデータネットワークの形式には関係なく、全てのユーザーにサービスできなければならない。これは、ＧＳＭネットワーク及びＧＰＲＳサービスは、各種のネットワークアドレス法及びパケットフォーマットをサポートし処理しなければならないということを意味している。データパケット処理には、パケット無線ネットワーク内でのパケットの経路指定も含まれている。更に、ユーザーは、自分のＧＰＲＳネットワークから訪問先のＧＰＲＳネットワークまで動き回ることができなければならない。
図１はＧＰＲＳネットワークにおける代表的配置を示す。ＧＰＲＳネットワークのアーキテクチャは、ＧＳＭネットワークのアーキテクチャほどには錬られていないことを理解しておかなければならない。それ故ＧＰＲＳの用語は全て、定義する用語であるというよりはむしろ記述的用語であると理解すべきである。移動体データ端末を形成する代表的移動体局は、移動体ネットワークの移動体局ＭＳと、ＭＳのデータインタフェースに接続された携帯型コンピューターＰＣとから構成されている。移動体局は例えば、フィンランドのノキア携帯電話社製のノキア２１１０でもよい。ノキア携帯電話社製のＰＣＭＣＩＡ型ノキアセルラーデータカードによって、移動体局は、ＰＣＭＣＩＡカードスロットを備えていさえすればどんな携帯型パーソナルコンピューターとも接続することができる。このように、ＰＣＭＣＩＡカードは、ＣＣＩＴＴＸ．２５やインターネットプロトコルＩＰのようなＰＣで使用されている無線通信アプリケーションのプロトコルをサポートするアクセスポイントをＰＣに提供する。替わりに、移動体局はＰＣアプリケーションで使用されるプロトコルをサポートするアクセスポイントを直接提供することもできる。更に、移動体局３とＰＣ４とを統合して１つのユニットとし、その中で、アプリケーションに、使用するプロトコルをサポートするアクセスポイントを提供するようにしてもよい。そのようなコンピューターと一体化した移動体局の例としては、フィンランドのノキア携帯電話社製のノキアコミュニケーター９０００がある。
ネットワークエレメントＢＳＣ及びＭＳＣは代表的ＧＭＳネットワークで以前から知られている。図１の配置には、別々のサービングＧＰＲＳサポートノードＳＧＳＮが含まれている。サポートノードはネットワークサイド上のパケット無線サービスのあるオペレーションを制御する。このオペレーションには、移動体局ＭＳによるシステムのログオン及びログオフ、移動体局ＭＳのエリア経路指定の更新、正しい宛先へのデータパケットの経路指定が含まれる。本アプリケーションでは、「データ」という用語は、ディジタル無線通信システムで送信されるものであれば全ての情報を指す、広い意味で使われると理解されたい。この情報には、ディジタル形式にエンコードされた会話、コンピューター間のデータ通信、ファックスデータ、プログラムコードの短いセグメント等も含まれる。ＳＧＳＮノードは、基地局ＢＴＳ、基地局コントローラーＢＳＣ、又は移動体切替センターＭＳＣに配置することもできるし、これらのエレメント全てから分離することもできる。ＳＧＳＮノードと基地局コントローラーＢＳＣとの間のインタフェースはＧＢインタフェースと呼ばれる。１つの基地局コントローラーＢＳＣが管理するエリアは基地局サブシステムＢＳＳと呼ばれる。
中間移動体ネットワークは、サポートノードと移動体データ端末装置との間のパケット交換データ送信を提供する。各種サブネットワークが今度は外部データネットワーク、例えばＰＳＰＤＮに、特定のゲートウェイＧＰＲＳサポートノードＧＧＳＮ経由で接続される。移動体データ端末と外部データネットワークとの間のパケットデータ送信は、このように、ＧＰＲＳサービスによって行われ、一方ＧＳＭネットワークはアクセスネットワークとして機能する。替わりに、ゲートウェイノードＧＧＳＮはルーターで置き換えることもできる。以下「ゲートウェイノードＧＧＳＮ」という用語は、ゲートウェイがルーターに置換されてしまっている構造に関しても用いると理解されたい。
図１では、ＧＳＭネットワークに接続されているＧＰＲＳネットワークは、多数のサービングＧＰＲＳサポートノードと１つのゲートウェイＧＰＲＳサポートノードＧＧＳＮから成っている。個別のサポートノードＳＧＳＮとＧＧＳＮとはオペレータ内バックボーンネットワーク経由で相互接続されている。１つのＧＰＲＳネットワークには、いかなる数のサポートノードＳＧＳＮ、ゲートウェイノードＧＧＳＮが含まれていてもよいと理解されたい。
各サポートノードＳＧＳＮは、セルラーパケット無線ネットワーク内の１つ又はそれ以上のノードのエリア内におけるパケットデータサービスを管理する。これを行うため、各サポートノードＳＧＳＮはＧＳＭシステムの所定のローカルパート、通常は移動体サービス切替センター、に接続されているが、場合によっては、直接これを基地局サブシステムＢＳＳ、即ち基地局コントローラーＢＳＣ又は基地局ＢＴＳ、に接続する方が好ましい場合もある。セル内の移動体局ＭＳは基地局ＢＴＳと無線インタフェースで通信し、更に移動体ネットワーク経由で、セルの属するサービスエリアに対するサポートノードＳＧＳＮと通信する。原理的に、サポートノードＳＧＳＮと移動体局ＭＳとの間の移動体ネットワークは両者の間でパケットを送信するだけである。このために、移動体ネットワークは、移動体局ＭＳとサービングサポートノードＳＧＳＮとの間に、回線切替接続又はパケット交換データパケット送信の何れかを提供できる。移動体局ＭＳとエージェントとの間の回線切替接続の例はＷ０９５／０８９００にある。移動体局ＭＳとエージェントとの間のパケット交換データパケット送信の例はＷ０９５／２０２８３にある。しかし、移動体ネットワークは移動体局ＭＳとサポートノードＳＧＳＮとの間の物理的接続を提供するだけであり、その正確な作動並びに構造は本発明とは関係ないことに留意いただきたい。
オペレーターのＳＧＳＮとＧＧＳＮとを相互接続するオペレーター内バックボーンネットワーク１１は、例えばローカルエリアネットワークを使って実行される。オペレーターのＧＰＲＳネットワークはオペレーター内バックボーンネットワーク無しでも実行することができ、例えば単一のコンピューター内の全特徴を駆使して実行することもできるが、何れにしろこれは本発明によるコールセットアップ原理に何らかの変化を起こすものではない。
ゲートウェイＧＰＲＳノードＧＧＳＮはオペレーターのＧＰＲＳネットワークを、オペレーター間バックボーンネットワーク１２又はＩＰネットワークのような、他のオペレーターのＧＰＲＳネットワーク及びデータネットワークに接続する。ゲートウェイノードＧＧＳＮと他のネットワークとの間に、インタワーキングファンクションＩＷＦを配置することもできるが、通常はＧＧＳＮが同時にＩＷＦにもなる。オペレーター間バックボーンネットワーク１２は、これを通して異なるオペレーターのゲートウェイノードＧＧＳＮが互いに通信できるものである。通信には、異なるＧＰＲＳネットワーク間を動き回るＧＰＲＳをサポートする必要がある。
ゲートウェイノードＧＧＳＮは又、ＧＰＲＳ移動体局の位置情報を記憶するのにも使用できる。ＧＧＳＮは又、移動終結（ＭＴ）データパケットの経路指定を行う。ＧＧＳＮは又、移動体局のネットワークアドレスに関わる、例えばＩＰネットワーク又はＸ．２５ネットワーク（又は同時に２つ以上のネットワーク）における、データベースと、ＧＰＲＳネットワーク内の移動体局の識別子とを含んでいる。移動体局が１つのサポートノードＳＧＳＮ内で１つのセルから別のセルへと動き回る場合、位置の更新はそのサポートノードＳＧＳＮ内だけで必要であり、ゲートウェイノードＧＧＳＮに位置変更を知らせる必要はない。移動体局が同じ又は異なるオペレーターのエリア内で、あるサポートノードＳＧＳＮのあるセルから、別のサポートノードＳＧＳＮのセルへと動き回る場合、新しい訪問先のサポートノードの識別子と移動体局の識別子とを記憶できるように、位置更新が（ホームの）ゲートウェイノードＧＧＳＮにも通知される。
ホーム位置レジスタＨＬＲは、ＧＰＲＳセッションの開始時に加入者を確認するのにも使用される。これは、加入者のＰＤＰ（パケットデータプロトコル）アドレス（複数の場合もある）と加入者のＩＭＳＩ（国際移動体加入者識別）との間の定義づけ含んでいる。ＧＳＭネットワークでは、加入者はＩＭＳＩに基づいて識別される。図１では、ＨＬＲはＳＳ７（信号システム７）経由で、例えば移動体切替センターＭＳＣ及びオペレーター内バックボーンネットワークへと接続されている。ＳＳ７信号システムとオペレーター内バックボーンネットワークとの間には、直接接続又はＳＳ７ゲートウェイがあってもよい。原則的には、ＨＬＲはいかなるＧＰＲＳノードとでもパケット交換メッセージを交換することができる。しかし、通信のＨＬＲ法及びそのＧＰＲＳネットワークへの接続は本発明にとって本質的なことではない。
上記配置において、パケット交換データ（以後パケットデータと略す）は、ネットワークに制御されている移動体局が最初に正しい種類のチャネル、即ちパケットデータ送信チャネルに向けられるときには、エアインタフェースで移動体局に送信することができる。パケットデータ送信をサポートする移動体局は、パケットデータの送受信だけ（「ＧＰＲＳオンリー」）に適しているか、通常の回線交換式会話及びその他のサービス（「多機能端末」）にも適しているかの何れでもよい。
「ＧＰＲＳオンリー」の移動体局は本アプリケーションで言う３つの異なるモード、即ち、準備、待機、休止モードの１つであればよい。準備モードにある移動体局は、データ送信チャネルに接続されており、データパケットを送信及び／又は受信する用意ができている。待機モードにある移動体局は、パケットデータページングチャネルを聴いており、ページング識別子を受信後、移動体局は準備モードに切り替わる。休止モードにある移動体局はパケットデータの送信も受信もサポートしない。
多機能端末は準備及び待機モードにおいては「ＧＰＲＳオンリー」端末と同じ作動をするが、休止モードにおいては通常の回線交換サービスをサポートする。
パケットデータが移動体局に送信されると、データをゲートウェイノードＧＧＳＮ経由で、移動体局の位置が既知であるサポートノードＳＧＳＮに経路指定することにより、正しいＧＳＭネットワークにデータを配信する。移動体局が待機モードにあるときには、その位置はラウチングエリアＲＡの精度で把握されている。これに対し、移動体局が準備モードにあれば、その位置はセルの精度で把握されている。
図２はシステム内の移動体局の登録状況を示している。図２はＥＴＳＩ規格ＧＳＭ０３．６０（バージョン５．２．０）からの引用である。前のサポートノードＳＧＳＮ及び移動体局のセンターＭＳＣ／ＶＬＲは「旧いもの」と呼ばれ、これに対応する現在のものは「新しいもの」と呼ばれる。
ステップ２−１で移動体局は「接続要求」メッセージを送る。ステップ２−２から２−５は本発明にとって必要でも本質的でもないのでここでは説明しない。ステップ２−６ａで新ＳＧＳＮは「位置更新」メッセージをホーム位置レジスタＨＬＲに送り、ホーム位置レジスタＨＬＲはステップ２−６ｂで旧ＳＧＳＮから位置を取り消す（「位置取消」）。ステップ２−６ｃで旧ＳＧＳＮは肯定応答（＝ＡＣＫ）する。ステップ２−６ｄで新ＳＧＳＮはホーム位置レジスタから「加入者データ挿入」メッセージで加入者のデータを受け取り、ステップ２−６ｅで肯定応答を送る。ステップ２−６ｆで新ＳＧＳＮは、ステップ２−６ａで送られた位置更新メッセージに対する肯定応答を受け取る。
ステップ２−７ａで新ＳＧＳＮは「位置更新要求」を新センターＭＳＣ／ＶＬＲに送る。ステップ２−７ｂから２−７ｇはステップ２−６ａから２−６ｆに対応する。ステップ２−７ｈで新ＳＧＳＮは、ステップ２−７ａで新センターから送られた位置更新要求に対する肯定応答を受け取る。ステップ２−８で新ＳＧＳＮは、ステップ２−１で送られた接続要求が受理されたことを移動体局に知らせる。これに続くステップは本発明にとって本質的ではないので、更に詳しい説明は省く。
上記構成に関する問題は、システムのＧＰＲＳサイドが、ある加入者がＧＳＭサイド（ＭＳＣ／ＶＬＲ）上のサービスを利用できるかどうかについての加入者特定の情報を有していないことである。移動体局ＰＣ／ＭＳがシステム内で登録すると、組み合わせられたＧＰＲＳ／非ＧＰＲＳ  ＩＭＳＩ接続オペレーション及び、恐らくは、ビジター位置レジスタＭＳＣ／ＶＬＲに対する位置エリア／ラウチングエリア（ＬＡ／ＲＡ）更新が行われる。これは、加入者が単にＧＰＲＳ加入者であるならば、ＭＳＣ／ＶＬＲにＧｓインタフェース経由で、そして更にホーム位置レジスタＨＬＲにＭＡＰ−Ｄインタフェース経由での不要な信号送信を行わせることになる。
システムのＧＳＭサイドが、ある加入者がＧＰＲＳサイド（ＳＧＳＮ）上のサービスを利用できるかどうかについての加入者特定の情報を有していない場合、同様な問題が生じる。これは、ＶＬＲが加入者データを無くした場合不必要な信号送信を引き起こす。移動終結呼び出しの場合、ＭＳＣ／ＶＬＲは加入者がＧＰＲＳサービスを有しているか否か知らないので、ページを常に各ＳＧＳＮノードに送らなければならない。
発明の概要
本発明の目的は、不必要な信号送信に関する上記問題を解消する方法、並びにその方法を実行する装置を提供することにある。本発明の目的は、独立請求項に開示するものによって特徴づけられる方法及び装置により達成される。本発明の好適な実施例は従属請求項に開示されている。
先ず最初に、本発明は問題の発見に基礎を置いている。従来型解決策により生じる過度の信号発信は、必ずしも実際のエラー状況を引き起こすわけではなく、ＧＳＭ／ＧＰＲＳネットワークはまだ使用されていないので、この問題を検知するのはそう簡単ではない。問題の発見に加えて、本発明は、できるだけ互換性問題を引き起こさず、他のネットワークエレメントの機能を変えることのない解法の発見に基礎を置いている。問題は比較的小さいので、ネットワークエレメントの定義を大きく変更するのは望ましくない。
本発明は加入者特定のアクセスパラメータの保持を含んでいるが、このパラメータは、対象の加入者が両ネットワークにどのような権利を有しているかを表示する。アクセスパラメータは、システムに登録されている関係ネットワークエレメントに送信される。送信負荷の低減のような本発明の利点は、第１ネットワークと第２ネットワークとが明確に異なるアーキテクチャを有している場合に最も大きくなる。例えば、第１ネットワークが（ＧＳＭ、ＤＳＣ等のような）回線交換網で、第２ネットワークが（ＧＰＲＳのような）パケット交換網である場合などがこのケースである。
本発明の方法及び構成の利点は、不明確な問題を簡単な方法で解決することである。言い換えれば、本発明は、移動体局がシステムに登録する際に不必要な信号送信負荷を取り除く。本発明は以下に述べるように、幾つかの他の個別の問題に予期せぬ解決策を提供する。
本発明の第１の実施例によれば、加入者特定のアクセスパラメータはホーム位置レジスタ内に保持される。この実施例の利点は、移動体局及びそのＳＩＭカードに何ら変更の必要がないということである。
本発明の第２の実施例によれば、加入者特定のアクセスパラメータは、移動体局、特にそのＳＩＭカード（加入者識別モジュール）内に保持される。この実施例の利点は、信号送信負荷の減少が顕著なことである。一方で、移動体局、少なくともそのＳＩＭカードは変更しなければならない。
【図面の簡単な説明】
本発明を、以下の添付図面を参照しながら好適実施例により詳しく説明する。
図１はＧＳＭ／ＧＰＲＳシステムのアーキテクチャを示す。
図２は、先行技術によるシステムにおける移動体局の登録を示す。
図３は、本発明の第１の好適実施例によるシステムにおける移動体局の登録を示す。
図４は、ビジター位置レジスタのデータが無くなった際に生じる個別の問題を本発明が如何に解決するかを示している。
発明の詳細な説明
図３は、本発明の解法によるシステムにおける移動体局の登録を示す。図３では、図２と同じ番号は同じ意味を有し、メッセージに何らかの変更がある場合には、メッセージの最初の番号を３としている。本発明のアクセスパラメータＰＡＲＡＭは、加入者がＧＳＭネットワーク、ＧＰＲＳネットワーク、或いはその両者にアクセスできるのか否かを示す。第１の実施例によれば、アクセスパラメータはホーム位置レジスタＨＬＲの加入者データ内に保持される。図中、メッセージ３−６ｄは、本発明によるアクセスパラメータＰＡＲＡＭがメッセージ３−６ｄに関係していることを除き、図２と関連して説明した２−６ｄと同じである。この場合、加入者はＧＰＲＳネットワークのみにアクセスできるという想定になっている。新ＳＧＳＮは加入者がＧＳＭネットワークにアクセスできないことを知っているので、本発明の解法を使用すれば、ステップ２−７ａからステップ２−７ｈまでは全く必要ない。メッセージ２−８の替わりにメッセージ３−８「接続応答」が使われるが、これは移動体加入者に彼がＧＰＲＳの権利だけを有しているという情報を運ぶ。メッセージ２−１０は不要である。ＧＳＭの権利を持っていない加入者に関するデータを新センターのビジター位置レジスタに送信する必要はない。
本発明の第２の実施例によれば、加入者特定のアクセスパラメータは、移動体局、特にそのＳＩＭカード内に保持される。その場合、ＳＩＭカードがＧＰＲＳの権利に関する情報のみを有する移動体局は、ＧＳＭネットワークへの登録を試みないことを自ら決定する。図３の信号送信チャートに信号が無くなり、信号送信負荷が低減されたことになる。
図４は本発明がもう一つの別の問題を如何に解決しているかを示す。図４は、ビジター位置レジスタＶＬＲのデータがなくなったとき、例えば機器のメンテナンスやプログラムの更新等の場合の移動終結呼び出しのセットアップを示す。ステップ４−１でＨＬＲはＶＬＲにローミング番号を要求する。ステップ４−２でＶＬＲはＨＬＲに証明データを要求する。ステップ４−３でＶＬＲはＨＬＲに失ったデータを送り返すように要求する。随意のステップ４−４で加入者は追跡下におかれる。ステップ４−５でＨＬＲは加入者データを「加入者データ挿入」メッセージでＶＬＲに送る。（ステップ４−５に示すアクセスパラメータＰＡＲＡＭは先行技術による機能には存在していない。）ステップ４−７で移動体局ＭＳは移動体終結呼び出し又はセンターＭＳＣ経由でショートメッセージを受信する。しかし、ビジター位置レジスタは加入者位置データを有しておらず、ステップ４−８でセンターに移動体局を探すように要求している（「ＭＳ探索」）。従来技術によれば、ページは移動体局に、ステップ４−９でセンターＭＳＣ下の基地局システムＢＳＳ1からＢＳＳnの各々を経由して、そしてサポートノードＳＧＳＮ1からＳＧＳＮnの各々を経由して送られなければならない。
本発明によれば、加入者がＧＳＭネットワーク、ＧＰＲＳネットワーク、又は両ネットワークにアクセスできるか否かを表示する上記加入者特定アクセスパラメータＰＡＲＡＭはメッセージ４−５に関係する。ステップ４−９では、移動体局のページングは、対象となっている加入者がアクセスできるネットワーク（ＧＳＭ及び／又はＧＰＲＳ）にページングが限定されるならば、実質的に低減される。加入者がＧＰＲＳネットワークにアクセスできないのであれば、ＳＧＳＮノード経由でのページングは必要ない。
本発明は他の問題も解決する。従来技術によれば、加入者が使用中のショートメッセージサービスＳＭＳを持っていれば、同じ加入者のデータがネットワークのＧＳＭサイドとＧＰＲＳサイドとの両方で有効なので、オペレーターは加入者のアクセスを１つのネットワークだけに明確に制限することはできない。加入者はＧＳＭとＧＰＲＳの両ネットワークに登録できるので、たとえ加入者にはショートメッセージサービスに加えてただ１つのネットワークのサービスしか利用できない場合でも（例えばＧＳＭ＋ＳＭＳ、又はＧＰＲＳ＋ＳＭＳだけ）、両ネットワークからのリソースを（例えば一時的登録から）確保することができる。
本発明によれば、加入者がどちらのネットワーク（ＧＳＭ、ＧＰＲＳ、又は両方）にアクセスできるのかを示すパラメータは加入者に明示的にセットできるので、オペレーターはシステムの利用を最適化できる。これは特に、ショートメッセージサービスに対して加入者に関係する。先行技術によれば、ホーム位置レジスタ内のＳＭＳ記述は、ＧＳＭ及びＧＰＲＳ両ネットワークへのアクセスを可能としている。本発明によれば、オペレーターは、ＧＰＲＳネットワークのみ及びショートメッセージサービスにアクセスできる加入者を「ＧＰＲＳネットワークのみ許可」の状態にセットすることにより、システムの使用を最適化することができる。
本発明は又、加入者が間違ったネットワーク（ＧＭＳ又はＧＰＲＳ）に登録するのを防ぐことにより、ネットワークリソースの使用を低減する。加入者が例えばショートメッセージ無しのＧＰＲＳ加入者である場合、彼はＧＳＭネットワークに登録しようと試みるかもしれず、それはネットワークに不必要な負荷を掛けることになる。
当業者には、技術が進歩するにつれてこの発明的概念が幾つかの異なるやり方で実行できるであろうことは明白である。本発明とその実施態様は上に説明した例に限定されるものではなく、請求の範囲内で変化しうるものである。
【図１】
0004024877.tif 000002
【図２】
0004024877.tif 000003
【図３】
0004024877.tif 000004
【図４】
0004024877.tif 000005